(57)【要約】【課題】  収容する物品の大きさに関係なく使い勝手を良くすることができるシートバックポケットを提供する。【解決手段】  シートバックポケット５は、ポケット本体６と、ポケット本体６内に収容された収容部材７とを備えている。この収容部材７はポケット本体６内で起立した起立板８と、起立板８に設けられた棚板９とを備えている。起立板８はシート６１材に面接している一方、棚板９は表皮４３を起立板８から離間する方向（前方側）へ押し曲げており、収容部材７は、この棚板９によって起立板８と表皮４３との間に空間Ａを形成しているとともに、この空間Ａを上下に分割している。【選択図】    図３
2005205993.tif 000002
【特許請求の範囲】
【請求項１】
車両のシートバックの後面に設けられたポケット本体と、このポケット本体内に収容された収容部材とを備え、
前記ポケット本体は、前記シートバックの後面を構成する可撓性の表皮と、この表皮に左右側および下側が固定された可撓性のシート材とにより上側が開口するように形成されている一方、
前記収容部材は、前記表皮または前記シート材のいずれか一方に面接して前記ポケット本体内で起立した起立板と、この起立板に設けられて前記表皮または前記シート材のいずれか他方を前記起立板から離間する方向へ押し曲げた棚板とを備え、この棚板によって前記起立板と前記表皮または前記シート材のいずれか他方との間に空間を形成しているとともに、この空間を上下に分割していることを特徴とするシートバックポケット。
【請求項２】
前記棚板は、前記起立板に折り畳み可能に設けられていることを特徴とする請求項１記載のシートバックポケット。
【請求項３】
前記起立板は、下端部が前記ポケット本体に固定されて前記ポケット本体内で起立していることを特徴とする請求項１または２記載のシートバックポケット。
【発明の詳細な説明】
【技術分野】
【０００１】
本発明は、車両のシートバックに設けられたシートバックポケットに関する。
【背景技術】
【０００２】
従来、車両のシートバックの後面には、一般的に物品を収容するシートバックポケットが設けられている。このシートバックポケットは、シートバックの後面を構成する可撓性の表皮と、この表皮に左右側および下側が縫い付けられて固定された可撓性のシート材とにより上側が開口するように形成されている。
【０００３】
またシートバックポケットの中には、内部をさらにシート材によって前後に分割したものが提案されている（特許文献１参照）。このようなシートバックポケットにおいては、複数の物品を前側のポケットと後側のポケットに分けて収容することにより物品を整然と収容することが可能となっている。
【特許文献１】特開２０００−１０８７９５号公報
【発明の開示】
【発明が解決しようとする課題】
【０００４】
しかしながら、前述したシートバックポケットは携帯電話等の比較的小さな物品を収容したときには奥に入ってしまうため取り出しにくい。またこれを解決するために底を浅くした場合には地図等の比較的大きな物品を収容することができない。したがってこのようなシートバックポケットにおいては、収容する物品の大きさによって使い勝手が悪くなってしまう問題があった。
【０００５】
本発明は、かかる従来の課題に鑑みてなされたものであり、収容する物品の大きさに関係なく使い勝手を良くすることができるシートバックポケットを提供することを目的とする。
【課題を解決するための手段】
【０００６】
前記課題を解決するために本発明の請求項１記載のシートバックポケットにおいては、車両のシートバックの後面に設けられたポケット本体と、このポケット本体内に収容された収容部材とを備え、前記ポケット本体は、前記シートバックの後面を構成する可撓性の表皮と、この表皮に左右側および下側が固定された可撓性のシート材とにより上側が開口するように形成されている一方、前記収容部材は、前記表皮または前記シート材のいずれか一方に面接して前記ポケット本体内で起立した起立板と、この起立板に設けられて前記表皮または前記シート材のいずれか他方を前記起立板から離間する方向へ押し曲げた棚板とを備え、この棚板によって前記起立板と前記表皮または前記シート材のいずれか他方との間に空間を形成しているとともに、この空間を上下に分割しているものとしている。
【０００７】
かかる構成においてポケット本体内には、収容部材が設けられていないシートバックポケットに比べて底が浅い上側が開口した空間が形成されるため、この空間に携帯電話等の比較的小さな物品を収容することにより、このような物品を取り出しやすくすることができる。また、起立板と表皮またはシート材のいずれか一方との間を使用者が開けることによって起立板がない場合と同じ深さの空間が得られるため、この空間に地図等の比較的大きな物品を収容することができる。
【０００８】
また請求項２記載のシートバックポケットにおいては、前記棚板は、前記起立板に折り畳み可能に設けられているものとしている。
【０００９】
かかる構成においては、非使用時に棚板を折り畳んでおくことによりポケット本体の膨らみを抑えることができる。
【００１０】
また請求項３記載のシートバックポケットにおいては、前記起立板は、下端部が前記ポケット本体に固定されて前記ポケット本体内で起立しているものとしている。
【００１１】
かかる構成においては、収容部材がポケット本体内でぐらついてしまうのを抑えることができる。
【発明の効果】
【００１２】
本発明の請求項１記載のシートバックポケットにおいては、収容部材が設けられていないシートバックポケットに比べて底が浅い上側が開口した空間が形成されるため、この空間に携帯電話等の比較的小さな物品を収容することにより、このような物品を取り出しやすくすることができる。また、起立板と表皮またはシート材のいずれか一方との間を使用者が開けることによって起立板がない場合と同じ深さの空間が得られるため、この空間に地図等の比較的大きな物品を収容することができる。よって、収容する物品の大きさに関係なく使い勝手を良くすることができる。
【００１３】
また請求項２記載のシートバックポケットにおいては、非使用時に棚板を折り畳んでおくことによりポケット本体の膨らみを抑えることができる。よって、シートバックポケットの非使用時における見栄えの低下を抑えることができる。
【００１４】
また請求項３記載のシートバックポケットにおいては、収容部材がポケット本体内でぐらついてしまうのを抑えることができる。よって、使い勝手をさらに良くすることができる。
【発明を実施するための最良の形態】
【００１５】
本発明をより詳細に説明するために、以下添付図面に従ってこれを説明する。
【００１６】
図１は、本発明の実施の形態を示す車両用シート１を後側から見た斜視図である。この車両用シート１は、シートクッション２と、シートクッション２の後端部２１に設けられたシートバック４と、シートバック４の後面４ａに設けられた本発明のシートバックポケット５とから構成されている。
【００１７】
シートバック４は図２に示すように、バックフレーム４１と、バックフレーム４１に取り付けられたバックパッド４２と、バックパッド４２を覆って取り付けられた表皮４３とから構成されている。
【００１８】
バックフレーム４１は金属製であって略ロ字状に形成されており、前側には左右のバックフレーム４１間に張り渡されたバネ４１１が上下方向に複数設けられている。
【００１９】
またバックパッド４２はウレタン樹脂等の発泡体から形成されており、バックフレーム４１の後側の中間部分を除いてバックフレーム４１に巻き付けて取り付けられている。
【００２０】
また表皮４３は合成樹脂や布材から形成されて可撓性を有しており、ぴんと張られた状態でバックパッド４２を覆って取り付けられている。
【００２１】
そしてシートバックポケット５は、シートバック４の後面４ａにおいて下部に設けられたポケット本体６と、ポケット本体６内に収容された収容部材７とを備えている。
【００２２】
さらにポケット本体６は、シートバック４の後面４ａを構成する表皮４３と、表皮４３に固定されたシート材６１とから構成されている。このシート材６１は合成樹脂や布材によって形成されて可撓性を有している。また図３に示すようにシート材６１の上端部６２は内側へ折り返されており、折り返されていない一般部６３に縫い付けられている。
【００２３】
さらに、シート材６１は下端部６４も内側へ折り返されており、シート材６１全体がぴんと張られた状態で、下端部６４と左右両縁６５、６５（図１参照）が表皮４３に縫い付けられて固定されている。したがってポケット本体６は、上側が開口するように形成されている。
【００２４】
具体的に説明すると、ポケット本体６は合成樹脂や布材からなる表皮４３とシート材６１がぴんと張られているために、シート材６１の上端部を持って後方へ引っ張るとバックパッド４２が圧縮されてポケット本体６の上端部が前後方向に開き、シート材６１の上端部を放すと圧縮されていたバックパッド４２が元に戻ってポケット本体６の上端部が閉じるように形成されている。
【００２５】
一方、収容部材７は合成樹脂で一体形成されており、ポケット本体６内で起立した起立板８と、図３に示すように起立板８の前面８１（表皮４３側）に設けられた棚板９とを備えている。
【００２６】
起立板８は平板状であって、図２や図３に示すように、シート材６１に後面８２が面接しているとともに、下端部８３がシート材６１の下端部６４に縫い付けられてポケット本体６に固定されて起立している。
【００２７】
一方、棚板９は平板状に形成されており、起立板８の前面８１において中間よりも上側に水平に設けられている。そして棚板９において、起立板８との結合部９１には全体にわたって切欠き９２が設けられており、この切欠き９２により結合部９１は他の部分よりも細くなって折り曲げ可能となっている。したがって、棚板９はこの結合部９１が切り欠かれて細くなっていることにより起立板８に折り畳み可能に設けられている。
【００２８】
また棚板９は、先端９３が前方へ膨らんだ弓形状に形成されて表皮４３を起立板８から離間する方向（前方側）へ押し曲げており、収容部材７は、この棚板９によって起立板８と表皮４３との間に空間Ａを形成しているとともに、この空間Ａを上下に分割している。
【００２９】
かかる構成においてポケット本体６の表皮４３と起立板８との間には、棚板９で前記空間Ａが上下に分割されることにより、上側が開口した上側の空間Ｂと密閉された下側の空間Ｃが形成されている。
【００３０】
ここで上側の空間Ｂは、収容部材７が設けられていないシートバックポケットに比べて底が浅く形成されている。このため、図５に示すように、この空間Ｂに携帯電話１０等の比較的小さな物品を収容することにより、このような物品を入れても取り出しやすくすることができる。
【００３１】
また、起立板８とシート材６１との間を使用者が開けることによって収容部材７がないシートバックポケットと同じ深さの空間Ｄが得られる。このため、この空間Ｄに地図１１等の比較的大きな物品を収容することが可能になる。
【００３２】
よって、本実施の形態のシートバックポケット５においては、収容する物品の大きさに関係なく使い勝手を良くすることができる。
【００３３】
また、棚板９には図３に示したように切欠き９２が設けられて起立板に対して折り畳み可能となっている。したがってシートバックポケット５の非使用時には、切欠き９２に沿って棚板９を図２に示すように起立板８の上側へ向かって折り畳んでおくことによりポケット本体６の膨らみを抑えることができる。よって、本実施の形態のシートバックポケット５においては非使用時における見栄えの低下を抑えることができる。
【００３４】
さらに、起立板８の下端部８３がポケット本体６に縫い付けられて固定されていることから、収容部材７がポケット本体６内でぐらついてしまうのを抑えることができる。よって、本実施の形態のシートバックポケット５においては、使い勝手をさらに良くすることができる。
【００３５】
なお本実施の形態では、ポケット本体６内に棚板９を表皮４３側に向けて収容部材７を収容したが、この棚板９をシート材６１側に向けてポケット本体６内に収容して、起立板８を表皮４３に面接するとともに棚板９でシート材６１を起立板８から離間する方向（後方側）へ押し曲げても本実施の形態と同様の効果を得ることができる。
【００３６】
また棚板９を起立板８の中間よりも上側に設けたが、ポケット本体６の深さに応じて棚板９の設置位置を設定しても良い。さらに棚板９を起立板８へ折り畳むために棚板９の結合部９１に切欠き９２を設けたが、この他に例えば棚板をヒンジや回動軸を介して起立板に上下に回動可能に取り付けても良い。
【図面の簡単な説明】
【００３７】
【図１】本発明の実施の形態を示す車両用シートを後部から見た斜視図である。
【図２】図１の要部を示す縦断面図である。
【図３】図２において棚板を伸ばした状態を示す拡大図である。
【図４】収容部材の斜視図である。
【図５】シートバックポケットに携帯電話と地図を入れた状態を示す縦断面図である。
【符号の説明】
【００３８】
４    シートバック
４ａ    後面
５    シートバックポケット
６    ポケット本体
７    収容部材
８    起立板
９    棚板
４３    表皮
６１    シート材
８３    下端部
９２    切欠き
Ａ      空間
【図１】
2005205993.tif 000003
【図２】
2005205993.tif 000004
【図３】
2005205993.tif 000005
【図４】
2005205993.tif 000006
【図５】
2005205993.tif 000007